(57)【要約】【課題】吹き出しグリルから容易に指や、異物が浸入することの無い空気調和機を提供する。【解決手段】吹き出しグリル口部（図示せず）に、風向きを上下に偏向するとともに両端並びに略中央部が回動自在に軸支された上下羽根９と、前記吹き出しグリル口部の内部に設けられ風向きを左右に偏向する複数の左右羽根３と、前記左右羽根３を回転自在に軸支する第２連結桟４と、前記左右羽根３を連動させて回動させる第１連結桟１とを設け、前記第１連結桟１両端に、前記上下羽根３の両端及び中央部の軸受部（図示せず）に向かって延びる延長部１ａ、１ｂを設け、前記延長部１ａ、１ｂの少なくとも一方に異物の進入を防止する異物浸入防止部材１３を設けた。【選択図】図１
2005076950.tif 000002
【特許請求の範囲】
【請求項１】
送風ファンと、前記送風ファンによる風を吹き出す吹き出しグリル口部を備え、前記吹き出しグリル口部に、風向きを上下に偏向するとともに両端並びに略中央部が回動自在に軸支された上下羽根と、前記吹き出しグリル口部の内部に設けられ風向きを左右に偏向する複数の左右羽根と、前記左右羽根を回転自在に軸支する第２連結桟と、前記左右羽根を連動させて回動させる第１連結桟とを設け、前記第１連結桟両端に、前記上下羽根の両端及び中央部の軸受部に向かって延びる延長部を設け、更に前記延長部の少なくとも一方に異物の進入を防止する異物浸入防止部材を設けたことを特徴とする空気調和機。
【請求項２】
異物浸入防止部材を、風の流れに沿うように板状に形成したことを特徴とする請求項１記載の空気調和機。
【請求項３】
異物進入時に、異物進入防止部材の上下方向の少なくとも一方が、上下羽根に接触し、第１連結桟が前記上下羽根の軸受け部より容易に外れないようにした請求項２記載の空気調和機。
【発明の詳細な説明】
【技術分野】
【０００１】
本発明は、空気調和機に関するもので、特に異物の浸入を防止する吹き出しグリル口部に関するものである。
【背景技術】
【０００２】
従来の空気調和機の吹き出しグリル口部構成について、図５、図６、図７を用いて説明する。
【０００３】
図において、吹き出し口２の全域に風向きを上下に偏向する上下羽根９を設け、吹き出しグリル１０の内部に風向きを左右に偏向する左右羽根３を複数枚設けて配列し、その左右羽根３上部の軸を軸穴に嵌着し各々の左右羽根３を連動させる第２連結桟４を設け、左右羽根３上部且つ前方部の支点を支点穴にはめ込みした第１連結桟１を設け、前記第１連結桟１の両端部に上下羽根９の端部の軸受け部５に向かって延長部１ａが設けられ、上下羽根９中央の軸受け部６に向かって延長部１ｂが設けられている。各延長部１ａ、１ｂは上下羽根９の各軸受け部５、６に取り付けられている。
【０００４】
上記構成において、送風ファン８から送り出される風が風回路７を通って吹き出されるときに、左右羽根３によって風向きを左右に変えられ、更に上下羽根９によって風向きを上下に変えられて室内に吹き出されることになる（例えば、特許文献１参照）。
【特許文献１】特開平１１−１５９７９８号公報
【発明の開示】
【発明が解決しようとする課題】
【０００５】
しかしながら、上記従来の構成では、空気調和機本体の吹き出しグリル口部１１において、第１連結桟１の両端部の上下羽根９の端部の軸受け部５に向かって設けられた延長部１ａと上下羽根９中央の軸受け部６に向かって設けられた延長部１ｂの位置にスペースＢが形成され、そこから指や異物などが進入して、風回路７内部に設けてある送風ファン８に接触して傷をつけたり、冷暖房運転に支障をきたしたり、故障の原因になっていた。
【０００６】
また、指や異物の進入があった場合、第１連結桟１がたわみをおこしてそれらの進入を許すとともに、第１連結桟１が上下羽根９の各軸受け部５、６より外れる恐れがあるという課題も有していた。
【０００７】
本発明はこのような従来の課題を解決するものであり、吹き出しグリル口部からの指や異物の浸入を防止すると共に、第１連結桟１が軸受け部から容易に外れない、信頼性の高い空気調和機を提供することを目的とするものである。
【課題を解決するための手段】
【０００８】
上記従来の課題を解決するために本発明は、吹き出しグリル口部に、風向きを上下に偏向するとともに両端並びに略中央部が回動自在に軸支された上下羽根と、前記吹き出しグリル口部の内部に設けられ風向きを左右に偏向する複数の左右羽根と、前記左右羽根を回転自在に軸支する第２連結桟と、前記左右羽根を連動させて回動させる第１連結桟とを設け、前記第１連結桟両端に、前記上下羽根の両端及び中央部の軸受部に向かって延びる延長部を設け、更に前記延長部の少なくとも一方に異物の進入を防止する異物浸入防止部材を設けたもので、風回路内部への指や異物の進入を確実に防止し、風回路内部に設けてある送風ファンに傷をつけたり、運転に支障をきたす事を防止することができる。
【発明の効果】
【０００９】
本発明の空気調和機は、風回路内部への指や異物の進入を確実に防止し、風回路内部に設けてある送風ファンに傷をつけたり、運転に支障を与える事がない。
【発明を実施するための最良の形態】
【００１０】
第１の発明は、送風ファンと、前記送風ファンによる風を吹き出す吹き出しグリル口部を備え、前記吹き出しグリル口部に、風向きを上下に偏向するとともに両端並びに略中央部が回動自在に軸支された上下羽根と、前記吹き出しグリル口部の内部に設けられ風向きを左右に偏向する複数の左右羽根と、前記左右羽根を回転自在に軸支する第２連結桟と、前記左右羽根を連動させて回動させる第１連結桟とを設け、前記第１連結桟両端に、前記上下羽根の両端及び中央部の軸受部に向かって延びる延長部を設け、更に前記延長部の少なくとも一方に異物の進入を防止する異物浸入防止部材を設けたもので、風回路内部への指や異物の進入を確実に防止し、風回路内部に設けてある送風ファンに傷をつけたり、運転に支障をきたす事がない。
【００１１】
第２の発明は、異物浸入防止部材を、風の流れに沿うように板状に形成したもので、外観を損なうことなく、吹き出し風に対する抵抗を最小限に抑えることが出来る。
【００１２】
第３の発明は、異物進入時に、異物進入防止部材の上下方向の少なくとも一方が、上下羽根に接触し、第１連結桟が前記上下羽根の軸受け部より容易に外れないようにしたもので、指や異物が第１連結桟をたわまして進入しようとした場合でも、異物進入防止部材が上下羽根に当たりたわみを抑えるので、上下羽根軸受け部から第１連結桟が容易に外れる事が無く、異物進入防止機能を維持することができる。
【００１３】
以下、本発明の実施の形態について、図面を参照しながら説明する。なお、この実施の形態によって本発明が限定されるものではない。
【００１４】
（実施の形態１）
以下、本発明の第１の実施の形態における空気調和機を、図１乃至４を用いて説明する。なお、従来例と同一部分については、同一符号、名称を用いてその説明を省略する。
【００１５】
図２及び図３に示すように、本発明の実施の形態に係る空気調和機は、その室内機本体１２内部に配置した送風ファン８と、この送風ファン８から吹き出しグリル口部１１に至る風回路７が一対の案内板１１ａ、１１ｂによって形成されている。そして、室内機本体１２の吹き出しグリル口部１１には吹き出し口２の全域に風向きを上下に偏向する上下羽根９を設け、吹き出しグリル口部１１の内部に図１、図４で示すように、風向きを左右に偏向する左右羽根３を複数枚設けて配列し、その左右羽根３上部の軸を軸穴に嵌着し各々の左右羽根３を連動させる第２連結桟４を設け、左右羽根３上部且つ前方部の支点を支点穴にはめ込みした第１連結桟１が設けられている。
【００１６】
前記第１連結桟１の一端に、上下羽根９の端部の軸受け部５向かって延びる延長部１ａが、他端に上下羽根９の中央の軸受け部６に向かって延びる延長部１ｂがそれぞれ設けられ、それらは上下羽根９の各軸受け部５、６に取り付けられている。更に延長部１ａ、１ｂには、異物の浸入を防止するとともに、左右羽根３と略同一形状で板状の異物進入防止部材１３が固着されている。
【００１７】
なお、異物進入防止部材１３は、送風流れに沿うように配列されているとともに、指や異物が進入しようとした場合、第１連結桟１がたわんでも異物進入防止部材１３が上下羽根９に当たりたわみを抑えると共に、指や異物の進入を防止することができる大きさに形成されている。
【００１８】
上記構成によって、吹き出しグリル口部１１における第１連結桟１の両端部の上下羽根９端部の軸受け部５に向かって設けられた延長部１ａと上下羽根９中央の軸受け部６に向かって設けられた延長部１ｂでのスペースＢから風回路７内部へ指や異物が進入するのを防ぐことが出来るうえに、吹き出し風に対する抵抗を最小限に抑えることが出来る。
【００１９】
又、指や異物が第１連結桟１をたわまして進入しようとしても、異物進入防止部材１３が上下羽根９に当たりたわみを抑えるので、上下羽根９の各軸受け部５、６から第１連結桟１が容易に外れることがない。
【００２０】
以上のように、本実施の形態によれば、指や異物の進入が確実に防止できるので、風回路７内部に設けてある送風ファン８に傷をつけたり、運転に支障をきたす事が無い。
【産業上の利用可能性】
【００２１】
以上のように、本発明にかかる空気調和機は、左右羽根、上下羽根を有する吹き出しグリル口部からの指や異物の浸入を防止することができるので、吹き出しグリル口部を備えた空気清浄機、加湿器等にも適用可能である。
【図面の簡単な説明】
【００２２】
【図１】（ａ）本発明の第１の実施の形態を示す空気調和機の吹き出しグリル部に取り付けられた左右羽根ブロックの平面図（ｂ）同左右羽根ブロックの正面図（ｃ）同左右羽根ブロックの側面図
【図２】同空気調和機の全体正面図
【図３】図２のＡ−Ａ断面図
【図４】同吹き出しグリル口部に設けた吹き出しグリルの正面図
【図５】（ａ）従来例を示す空気調和機の吹き出しグリル口部に取り付けられた左右羽根ブロックの平面図（ｂ）同左右羽根ブロックの正面図（ｃ）同左右羽根ブロックの側面図
【図６】同空気調和機の部分断面図
【図７】同吹き出しグリル口部に設けた吹き出しグリルの正面図
【符号の説明】
【００２３】
１    第１連結桟
１ａ    延長部
１ｂ    延長部
３    左右羽根
４    第２連結桟
５    上下羽根端部の軸受け部
６    上下羽根中央の軸受け部
７    風回路
８    送風ファン
９    上下羽根
１０    吹き出しグリル
１１    吹き出しグリル口部
１２    室内機本体
１３    異物進入防止部材
【図１】
2005076950.tif 000003
【図２】
2005076950.tif 000004
【図３】
2005076950.tif 000005
【図４】
2005076950.tif 000006
【図５】
2005076950.tif 000007
【図６】
2005076950.tif 000008
【図７】
2005076950.tif 000009